(57)【要約】【課題】積み重ねた状態の平坦状の段ボール箱に縛り紐を通して、容易に取りまとめやすくして、全体を縛りやすくすることができる段ボール箱縛り紐通し具を提供すること。【解決手段】箱形状から平坦に折り畳んだ状態の段ボール箱に縛り紐Ｓを突き通すことにより、段ボール箱をバラバラにすることなく、積み重ねた状態を保持可能とすることに着目したもので、基端部２Ｂおよび先端部２Ａを有する棒状の通し具本体２と、通し具本体２の先端部２Ａに形成するとともに、段ボール箱に突き通し可能な突通し用尖端部３と、突通し用尖端部３より通し具本体２の基端部２Ｂ側に位置しているとともに、縛り紐Ｓを挿通するための紐挿通孔７を形成している膨出部４と、膨出部４と通し具本体２との間に位置しているとともに縛り紐Ｓを切断可能な紐切断部５と、を有することを特徴とする。【選択図】図１
2013129450.tif 000002
【特許請求の範囲】
【請求項１】
折り畳んだ状態の段ボール箱を積み重ねて縛り紐で縛るための段ボール箱縛り紐通し具であって、
基端部および先端部を有する棒状の通し具本体と、
この通し具本体の前記先端部に形成するとともに、前記段ボール箱に突き通し可能な突通し用尖端部と、
この突通し用尖端部より前記通し具本体の前記基端部側に位置しているとともに、前記縛り紐を挿通するための紐挿通孔を形成している膨出部と、
この膨出部と前記通し具本体との間に位置しているとともに前記縛り紐を切断可能な紐切断部と、
を有することを特徴とする段ボール箱縛り紐通し具。
【請求項２】
前記通し具本体の前記基端部に着脱可能に取り付け可能なグリップを有することを特徴とする請求項１記載の段ボール箱縛り紐通し具。
【請求項３】
前記膨出部は、前記段ボール箱に貼り付けてあるガムテープを切断可能なテープ切断端部を有していることを特徴とする請求項１または２記載の段ボール箱縛り紐通し具。
【請求項４】
前記膨出部は、前記突通し用尖端部が前記段ボール箱に貫通した状態で前記段ボール箱にこれを引っ掛け可能であることを特徴とする請求項１ないし３のいずれかに記載の段ボール箱縛り紐通し具。
【請求項５】
前記紐挿通孔は、前記突通し用尖端部の中心軸線上に位置してこれを形成していることを特徴とする請求項１ないし４のいずれかに記載の段ボール箱縛り紐通し具。
【発明の詳細な説明】
【技術分野】
【０００１】
本発明は段ボール箱縛り紐通し具にかかるもので、とくに折り畳んだ状態の多数の段ボール箱を作業性よく縛ることができるようにした段ボール箱縛り紐通し具に関するものである。
【背景技術】
【０００２】
従来から、引っ越しその他の作業において多数の段ボール箱が使用されており、とくに引っ越し先などにおいて、使用済みとなった空の段ボール箱を立体的な箱から折り畳んで平坦状にしたのち、保管あるいは別場所などへの移送のため、これらを積み重ねて紐などにより縛る必要がある。
【０００３】
しかしながら、段ボール箱自体が比較的大きい場合にはその取扱いが面倒であり、とくに箱形状の折癖がついてしまっているため立体形状に戻ろうとすることがあるとともに、その表面が比較的平滑であるため折り重ねた状態でも互いに滑って取りまとめにくく、一般的な平面状の紙材とは異なって、単純に積み重ねてゆき紐で縛りにくいという問題がある。
【先行技術文献】
【特許文献】
【０００４】
【特許文献１】特開２００８−２４３２３号公報
【発明の概要】
【発明が解決しようとする課題】
【０００５】
本発明は以上のような諸問題にかんがみなされたもので、とくに多数の段ボール箱を簡単に縛り紐で縛りやすくすることができる段ボール箱縛り紐通し具を提供することを課題とする。
【０００６】
また本発明は、平坦状に折り畳んだ状態の段ボール箱に縛り紐を通して容易に取りまとめやすくすることができる段ボール箱縛り紐通し具を提供することを課題とする。
【０００７】
また本発明は、積み重ねた状態の段ボール箱に縛り紐を通して、全体を縛りやすくすることができる段ボール箱縛り紐通し具を提供することを課題とする。
【課題を解決するための手段】
【０００８】
すなわち本発明は、箱形状から平坦に折り畳んだ状態の段ボール箱に縛り紐を突き通すことにより、段ボール箱をバラバラにすることなく、積み重ねた状態を保持可能とすることに着目したもので、折り畳んだ状態の段ボール箱を積み重ねて縛り紐で縛るための段ボール箱縛り紐通し具であって、基端部および先端部を有する棒状の通し具本体と、この通し具本体の上記先端部に形成するとともに、上記段ボール箱に突き通し可能な突通し用尖端部と、この突通し用尖端部より上記通し具本体の上記基端部側に位置しているとともに、上記縛り紐を挿通するための紐挿通孔を形成している膨出部と、この膨出部と上記通し具本体との間に位置しているとともに上記縛り紐を切断可能な紐切断部と、を有することを特徴とする段ボール箱縛り紐通し具である。
【０００９】
上記通し具本体の上記基端部に着脱可能に取り付け可能なグリップを有することができる。
【００１０】
上記膨出部は、上記段ボール箱に貼り付けてあるガムテープを切断可能なテープ切断端部を有していることができる。
【００１１】
上記膨出部は、上記突通し用尖端部が上記段ボール箱に貫通した状態で上記段ボール箱にこれを引っ掛け可能であることができる。
【００１２】
上記紐挿通孔は、上記突通し用尖端部の中心軸線上に位置してこれを形成していることができる。
【発明の効果】
【００１３】
本発明による段ボール箱縛り紐通し具においては、通し具本体に、段ボール箱に突き通し可能な突通し用尖端部と、縛り紐を挿通するための紐挿通孔を形成している膨出部と、縛り紐を切断可能な紐切断部と、を設けたので、通し具本体を縛り紐とともに段ボール箱に突き通すことにより、通した縛り紐により段ボール箱を積み重ねた状態で保持することができ、この縛り紐を段ボール箱全体に掛け回して作業性良好に縛ることができる。
【図面の簡単な説明】
【００１４】
【図１】本発明の第１の実施例による段ボール箱縛り紐通し具１の説明図であって、図１（１）は段ボール箱縛り紐通し具１の分解正面図、図１（２）は、同、左側面図である。
【図２】同、グリップ６の説明図であって、図２（１）は、グリップ６の斜視図、図２（２）は、図２（１）の（２）−（２）線断面図、図２（３）は、図２（１）の（３）−（３）線断面図である。
【図３】同、段ボール箱Ｃに段ボール箱縛り紐通し具１を突き通して縛り紐Ｓを段ボール箱Ｃに通す手順を示す説明図であって、図３（１）は、段ボール箱Ｃに段ボール箱縛り紐通し具１を突き刺す態勢を示す概略斜視図、図３（２）は、段ボール箱縛り紐通し具１の突通し用尖端部３を段ボール箱Ｃに突き通した状態を示す概略斜視図、図３（３）は、数枚の段ボール箱Ｃに段ボール箱縛り紐通し具１を通して通し具本体２および縛り紐Ｓをグリップ６から分離した状態を示す概略斜視図、図３（４）は、通し具本体２の膨出部４（紐挿通孔７）から縛り紐Ｓを外して縛り紐Ｓにより段ボール箱Ｃを縛る態勢を示す概略斜視図である。
【図４】本発明の第２の実施例による段ボール箱縛り紐通し具２０の要部正面図である。
【発明を実施するための形態】
【００１５】
本発明は、突通し用尖端部と、膨出部と、紐切断部と、を設けたので、箱形状から平坦に折り畳んだ状態の段ボール箱に縛り紐とともに突き通すことにより、段ボール箱をバラバラにすることなく、積み重ねた状態を保持することができる段ボール箱縛り紐通し具を実現した。
【実施例】
【００１６】
つぎに本発明の第１の実施例による段ボール箱縛り紐通し具１を図１ないし図３にもとづき説明する。図１は、段ボール箱縛り紐通し具１の説明図であって、図１（１）は段ボール箱縛り紐通し具１の分解正面図、図１（２）は、同、左側面図である。段ボール箱縛り紐通し具１は、折り畳んだ状態の段ボール箱Ｃ（図３）を積み重ねて縛り紐Ｓで縛るためのものであって、棒状の通し具本体２と、突通し用尖端部３と、膨出部４と、紐切断部５と、グリップ６と、を有する。
【００１７】
通し具本体２は、所定の剛性を有するステンレス材その他の金属製であって、突通し用尖端部３および膨出部４以外は、その断面をたとえば円形状に形成した任意の長さを有し、段ボール箱Ｃを突き通すだけの強度を有する。
【００１８】
突通し用尖端部３は、通し具本体２の先端部２Ａにこれを形成するとともに、安全性を考慮した形状（図示の例では、薄厚の長方形状）として段ボール箱Ｃに突き刺し可能である。すなわち、とくに図１（１）に示すように、突通し用尖端部３は長方形状ではあるが、図１（２）に示すように、通し具本体２の先端部２Ａに向かってその厚さを薄くしてある。なお、突通し用尖端部３の先端部は、いわゆるマイナスドライバーとしてこれを利用することもできる。
【００１９】
膨出部４は、とくに図１（１）に示すように、突通し用尖端部３より通し具本体２の基端部２Ｂ側に位置しているとともに、突通し用尖端部３からほぼ三角形状に横に膨出している部分であって、縛り紐Ｓを挿通するための紐挿通孔７（図１（２）の一部拡大断面図も参照）を形成している。さらに膨出部４は、段ボール箱Ｃの開封時に、その立体の稜縁部に貼り付けてあるガムテープ（図示せず）を切断可能なテープ切断端部４Ａを有しているとともに、このテープ切断端部４Ａは、平坦状とした段ボール箱Ｃに突通し用尖端部３が貫通した状態で段ボール箱Ｃにこれをフックとして引っ掛け可能である。なお、紐挿通孔７に連通するスリット４Ｂを（図中、仮想線）膨出部４に形成して縛り紐Ｓをこのスリット４Ｂから挿入するようにしてもよい。
【００２０】
紐切断部５は、膨出部４と通し具本体２との間の作業者に安全な部位において弧状に位置しているとともに、その厚さをやや薄くすることにより、必要に応じて縛り紐Ｓを切断可能としている。
【００２１】
グリップ６は、通し具本体２の基端部２Ｂにこれを着脱可能に取り付け可能である。すなわち、基端部２Ｂには、互いに通し具本体２の半径方向反対側に位置する一対の係合片８を突出形成してあり、この係合片８の部分において通し具本体２をグリップ６に着脱可能とする。すなわち、図２は、グリップ６の説明図であって、図２（１）は、グリップ６の斜視図、図２（２）は、図２（１）の（２）−（２）線断面図、図２（１）の（３）−（３）線断面図である。グリップ６は、その中心軸線に沿って、通し具本体２および係合片８を挿通可能な中心取付け穴９および左右一対の第１の挿通溝１０を開口形成するとともに、中心取付け穴９の底部に、深さが係合片８の長さに相当する円柱状の嵌合室１１を形成し、この嵌合室１１に連通して、第１の挿通溝１０に対して９０度旋回した位置に左右一対の第２の挿通溝１２を形成してある。
【００２２】
したがって、通し具本体２の基端部２Ｂにおける係合片８を第１の挿通溝１０に合わせるように通し具本体２を中心取付け穴９に挿通し、嵌合室１１に基端部２Ｂが突き当たった状態で、通し具本体２およびグリップ６を軸線を中心として相対的に９０度旋回させれば、係合片８が第２の挿通溝１２に係合するとともに、係合片８が嵌合室１１内に嵌合して、通し具本体２をグリップ６に固定することができる。通し具本体２およびグリップ６を分離する際には、上述の取付け操作とは逆に、互いに９０度旋回させれば、係合片８が第１の挿通溝１０に対向することとなり、通し具本体２全体をグリップ６から分離可能である。
【００２３】
こうした構成の段ボール箱縛り紐通し具１を用いて、段ボール箱Ｃを積み重ねながら縛り紐Ｓで縛る手順を図３にもとづき説明する。図３は、段ボール箱Ｃに段ボール箱縛り紐通し具１を突き通して縛り紐Ｓを段ボール箱Ｃに通す手順を示す説明図であって、図３（１）は、段ボール箱Ｃに段ボール箱縛り紐通し具１を突き刺す態勢を示す概略斜視図、図３（２）は、段ボール箱縛り紐通し具１の突通し用尖端部３を段ボール箱Ｃに突き通した状態を示す概略斜視図、図３（３）は、数枚の段ボール箱Ｃに段ボール箱縛り紐通し具１を通して通し具本体２および縛り紐Ｓをグリップ６から分離した状態を示す概略斜視図、図３（４）は、通し具本体２の膨出部４（紐挿通孔７）から縛り紐Ｓを外して縛り紐Ｓにより段ボール箱Ｃを縛る態勢を示す概略斜視図である。
【００２４】
まず、図３（１）に示すように、膨出部４の紐挿通孔７に縛り紐Ｓを挿通した状態で、突通し用尖端部３を段ボール箱Ｃに突き刺して、図３（２）に示すように、段ボール箱Ｃの裏側にまで膨出部４を突き通す。なお、この状態で、膨出部４のテープ切断端部４Ａが段ボール箱Ｃの表面（グリップ６が位置する側とは反対側の面）に引っ掛かることができるので、通し具本体２全体が段ボール箱Ｃから抜け落ちてしまうおそれはない。
【００２５】
ついで、図３（３）に示すように、同様にして複数枚の段ボール箱Ｃのほぼ同一の部位に段ボール箱縛り紐通し具１の突通し用尖端部３から膨出部４を通した状態で、通し具本体２からグリップ６を取り外すとともに、図３（４）に示すように、紐挿通孔７から縛り紐Ｓを抜いて、通し具本体２を縛り紐Ｓから外せば、複数枚の段ボール箱Ｃに縛り紐Ｓが通された状態を実現し、段ボール箱Ｃがバラバラになることなく、任意の方法で縛り紐Ｓにより段ボール箱Ｃを括り、段ボール箱Ｃの縛り付けを行うことができる。
【００２６】
かくして、作業者としては、紐挿通孔７に縛り紐Ｓを挿通した段ボール箱縛り紐通し具１を用いて、その突通し用尖端部３を段ボール箱Ｃに突き通してゆくだけで、段ボール箱Ｃを積み重ねた状態で取りまとめ、縛り紐Ｓによる縛り操作を容易に行うことができる。また、突通し用尖端部３はマイナスドライバーとしての機能も有し、膨出部４のテープ切断端部４Ａは、段ボール箱Ｃを開いて収容物を取り出す際に、その段ボール箱Ｃの稜縁部に貼り付けてあるガムテープなどを切ることができるなど、当該段ボール箱縛り紐通し具１があれば、段ボール箱Ｃに関して行う作業に必要な機能を有している。
【００２７】
図４は、本発明の第２の実施例による段ボール箱縛り紐通し具２０の要部正面図であって、段ボール箱縛り紐通し具２０においては、紐挿通孔７は、突通し用尖端部３の中心軸線３Ｃ上に位置してこれを形成しているが、この構成にともない、突通し用尖端部３、膨出部４および紐切断部５などは若干その形状を変更することができる。なお、他の部分の構造は、上述した段ボール箱縛り紐通し具１と事実上同様である。
【００２８】
こうした構成の段ボール箱縛り紐通し具２０においても、段ボール箱縛り紐通し具１（第１の実施例、図１）と同様に、縛り紐Ｓを簡単に段ボール箱Ｃに通すことができる。ただし、段ボール箱Ｃに突き通す突通し用尖端部３の中心軸線３Ｃ上に紐挿通孔７が位置しているので、段ボール箱縛り紐通し具２０の強度も比較的容易に確保可能であるとともに、段ボール箱Ｃに段ボール箱縛り紐通し具２０を突き通す部位と縛り紐Ｓの移動部位とが事実上同一であるため、突通し作業をより確実に行うことができる。
【符号の説明】
【００２９】
１  段ボール箱縛り紐通し具（第１の実施例、図１）
２  通し具本体
２Ａ  通し具本体２の先端部
２Ｂ  通し具本体２の基端部
３  突通し用尖端部
３Ｃ  突通し用尖端部３の中心軸線（図４）
４  膨出部
４Ａ  膨出部４のテープ切断端部
４Ｂ  膨出部４のスリット
５  紐切断部
６  グリップ（図２）
７  膨出部４に形成した紐挿通孔
８  一対の係合片
９  中心取付け穴（図３）
１０  第１の挿通溝
１１  嵌合室
１２  第２の挿通溝
２０  段ボール箱縛り紐通し具（第２の実施例、図４）
Ｃ    段ボール箱（図３）
Ｓ    縛り紐
【図１】
2013129450.tif 000003
【図２】
2013129450.tif 000004
【図３】
2013129450.tif 000005
【図４】
2013129450.tif 000006